(57)【要約】【課題】ハードディスクに記録されているタイトルをＤＶＤにダビングするときに、このダビングするタイトルの映像を字幕付にするか、字幕無しにするかの設定が行えるダビング装置を提供する。【解決手段】ダビング装置１は、ハードディスク５ａにトランスポートストリーム形式のデータで記録されているタイトルをＤＶＤ６ａにダビングするとき、このタイトルのデータに字幕データが含まれているかどうかを判定する。ダビング装置１は、字幕データが含まれており、且つ字幕表示の映像でのダビングを選択する設定がなされていれば、字幕表示の映像データをプログラムストリーム形式のデータに変換し、これをＤＶＤ６ａに記録する。反対に、字幕無しの映像でのダビングを選択する設定がなされていれば、字幕無しの映像データをプログラムストリーム形式のデータに変換し、これをＤＶＤ６ａに記録する。【選択図】図１
2010166352.tif 000002
【特許請求の範囲】
【請求項１】
第１の記録媒体にトランスポートストリーム形式のデータで記録されているタイトルを、第２の記録媒体にプログラムストリーム形式のデータで記録するレート変換ダビングを行うダビング装置において、
前記第１の記録媒体に記録されているタイトルを前記第２の記録媒体にレート変換ダビングするときに、当該タイトルのトランスポートストリーム形式のデータに字幕データが含まれているかどうかを判定する判定手段と、
前記第１の記録媒体に記録されていて、前記第２の記録媒体にレート変換ダビングするタイトルの映像を字幕表示の映像とするか、字幕無しの映像とするかの設定操作を受け付ける設定受付手段と、
前記判定手段が前記第２の記録媒体にレート変換ダビングするタイトルのトランスポートストリーム形式のデータに字幕データが含まれていると判定した場合、前記設定受付手段が最後に受け付けた設定操作に応じて、前記第２の記録媒体にプログラムストリーム形式のデータでレート変換ダビングするタイトルの映像を字幕表示の映像、または字幕無しの映像にするダビング制御手段と、を備えたダビング装置。
【請求項２】
前記設定受付手段は、前記判定手段が前記第２の記録媒体にレート変換ダビングするタイトルのトランスポートストリーム形式のデータに字幕データが含まれていると判定した場合、このタイトルの映像を字幕表示の映像とするか、字幕無しの映像とするかの設定操作を要求し、この要求に対する設定操作を受け付ける手段である、請求項１に記載のダビング装置。
【請求項３】
タイトルのデータがトランスポートストリーム形式で入力される入力手段と、
トランスポートストリーム形式のデータで前記入力手段に入力されているタイトルを、前記第２の記録媒体にプログラムストリーム形式のデータで記録する録画手段と、を備え、
前記判定手段は、前記録画手段がトランスポートストリーム形式のデータで前記入力手段に入力されているタイトルを、前記第２の記録媒体にプログラムストリーム形式のデータで記録するときにも、当該タイトルのトランスポートストリーム形式のデータに字幕データが含まれているかどうかを判定する手段であり、
さらに、前記判定手段が前記入力手段に入力されているタイトルのトランスポートストリーム形式のデータに字幕データが含まれていると判定した場合、前記設定受付手段が最後に受け付けた設定操作に応じて、前記第２の記録媒体にプログラムストリーム形式のデータで記録するタイトルの映像を字幕表示の映像、または字幕無しの映像にする録画制御手段を備えている、請求項１、または２に記載のダビング装置。
【請求項４】
前記第１の記録媒体は、ハードディスクであり、
前記第２の記録媒体は、ＤＶＤである、請求項１〜３のいずれかに記載のダビング装置。
【発明の詳細な説明】
【技術分野】
【０００１】
この発明は、第１の記録媒体（ハードディスク等）にトランスポートストリーム形式のデータで記録されているタイトルを、第２の記録媒体（ＤＶＤ等）にプログラムストリーム形式のデータに変換してダビングするレート変換ダビングを行うダビング装置に関する。
【背景技術】
【０００２】
従来、一方の記録媒体に記録されている番組等のタイトルを、他方の記録媒体に記録（ダビング）するダビング装置があった。特に最近では、記憶容量が大きいハードディスクを第１の記録媒体とし、装置本体に対して着脱自在のＤＶＤを第２の記録媒体とし、ハードディスクとＤＶＤとの間で、記録されているタイトルのダビングが行えるダビング装置が一般に普及している。
【０００３】
また、ディジタルビデオテープ（ＤＶテープ）に記録されているタイトルをＤＶＤにダビングする装置が特許文献１や特許文献２に記載されている。また、特許文献３には、テレビ受像機に接続されている録画機側の操作だけで、テレビ受像機での字幕の表示のオン／オフや、録画機で録画するタイトルの映像を字幕表示とするか、字幕無しとするかの設定が行える装置が記載されている。
【先行技術文献】
【特許文献】
【０００４】
【特許文献１】特開２００４−２０１１００号公報
【特許文献２】特開２００５−    ５８５１号公報
【特許文献３】特開平７−２５０２８０号公報
【発明の概要】
【発明が解決しようとする課題】
【０００５】
しかしながら、一般的なダビング装置は、タイトルをトランスポートストリーム形式（ＴＳ形式）のデータでハードディスクに記録し、プログラムストリーム形式（ＰＳ形式）のデータでＤＶＤに記録する。すなわち、ハードディスクと、ＤＶＤとで、記録するタイトルのデータ形式が異なっている。このため、ハードディスクとＤＶＤとの間におけるタイトルのダビングは、レート変換ダビング（等速ダビング）で行っている。
【０００６】
従来の一般的なダビング装置は、ハードディスクにトランスポートストリーム形式で記録されているタイトルをＤＶＤにダビングする場合、このタイトルのデータに字幕にかかるデータが含まれていても、これを無視し、プログラムストリーム形式のデータに変換していた。すなわち、ＤＶＤにダビングされるタイトルのプログラムストリーム形式のデータは、字幕無しの映像であった。
【０００７】
このため、ユーザは、ハードディスクにトランスポートストリーム形式で記録されている字幕データ付のタイトルを字幕付の映像でＤＶＤにダビングすることができなかった。
【０００８】
この発明の目的は、第１の記録媒体にトランスポートストリーム形式で記録されている字幕データ付のタイトルを、プログラムストリーム形式のデータで第２の記録媒体にダビングするときに、このダビングするタイトルの映像を字幕付にするか、字幕無しにするかの設定が行えるダビング装置を提供することにある。
【課題を解決するための手段】
【０００９】
この発明のダビング装置は、上記目的を達するために、以下のように構成している。
【００１０】
第１の記録媒体には、トランスポートストリーム形式のデータでタイトルが記録される。また、第２の記録媒体には、プログラムストリーム形式のデータでタイトルが記録される。第１の記録媒体は、例えばハードディスクであり、第２の記録媒体は、例えばＤＶＤである。
【００１１】
第１の記録媒体に記録されているタイトルを第２の記録媒体にレート変換ダビングするときに、判定手段が当該タイトルのトランスポートストリーム形式のデータに字幕データが含まれているかどうかを判定する。また、設定受付手段が、第１の記録媒体に記録されていて、第２の記録媒体にレート変換ダビングするタイトルの映像を字幕表示の映像とするか、字幕無しの映像とするかの設定操作を受け付ける。ユーザは、この設定操作を任意のタイミングで行える。また、第１の記録媒体に記録されているタイトルを第２の記録媒体にレート変換ダビングするときに、ユーザに対して設定操作を要求する構成としてもよい。この場合には、判定手段が第２の記録媒体にダビングするタイトルのトランスポートストリーム形式のデータに字幕データが含まれていないと判定すると、この設定操作の要求を行わない構成とするのが好ましい。すなわち、判定手段が第２の記録媒体にダビングするタイトルのトランスポートストリーム形式のデータに字幕データが含まれていると判定したことを条件にして、この設定操作をユーザに要求する構成とするのが好ましい。
【００１２】
そして、判定手段が第２の記録媒体にダビングするタイトルのトランスポートストリーム形式のデータに字幕データが含まれていると判定した場合、ダビング制御手段が設定受付手段で最後に受け付けた設定操作に応じて、第２の記録媒体にプログラムストリーム形式のデータでレート変換ダビングするタイトルの映像を字幕表示の映像、または字幕無しの映像にする。具体的には、第１の記録媒体に記録されているタイトルを字幕表示の映像でダビングする場合には、そのタイトルを字幕表示の映像で再生し、その再生映像をプログラムストリーム形式のデータに変換して第２の記録媒体に記録（ダビング）する。反対に、第１の記録媒体に記録されているタイトルを字幕無しの映像でダビングする場合には、そのタイトルを字幕無しの映像で再生し、その再生映像をプログラムストリームに変換して第２の記録媒体に記録（ダビング）する。
【００１３】
このように、第１の記録媒体にトランスポートストリーム形式で記録されている字幕データ付のタイトルを、プログラムストリーム形式のデータで第２の記録媒体にダビングするときに、このダビングするタイトルの映像を字幕付にするか、字幕無しにするかの設定が簡単に行える。
【００１４】
また、タイトルのデータがトランスポートストリーム形式で入力される入力手段と、トランスポートストリーム形式のデータで入力手段に入力されているタイトルを、第２の記録媒体にプログラムストリーム形式のデータで記録する録画手段と、を備えてもよい。ディジタルテレビ放送では、番組（タイトル）をトランスポートストリームで放送している。したがって、上記入力手段、および録画手段を備えることで、ディジタルテレビ放送の番組を、第２の記録媒体にプログラムストリーム形式のデータで記録することができる。
【００１５】
また、この場合には、録画手段がトランスポートストリーム形式のデータで入力手段に入力されているタイトルのトランスポートストリーム形式のデータに字幕データが含まれているかどうかを判定手段に判定させる。そして、この判定手段が入力手段に入力されているタイトルのトランスポートストリーム形式のデータに字幕データが含まれていると判定した場合、録画制御手段が設定受付手段で最後に受け付けた設定操作に応じて、第２の記録媒体にプログラムストリーム形式のデータで記録するタイトルの映像を字幕表示の映像、または字幕無しの映像にする構成とするのが好ましい。これにより、ディジタルテレビ放送等で提供される番組等のタイトルについても、プログラムストリーム形式のデータで第２の記録媒体に記録するときも、その映像を字幕付にするか、字幕無しにするかの設定が簡単に行える。
【発明の効果】
【００１６】
この発明によれば、第１の記録媒体にトランスポートストリーム形式で記録されている字幕データ付のタイトルを、プログラムストリーム形式のデータで第２の記録媒体にダビングするときに、このダビングするタイトルの映像を字幕付にするか、字幕無しにするかの設定が行える。
【図面の簡単な説明】
【００１７】
【図１】ダビング装置の主要部の構成を示すブロック図である。
【図２】ハードディスクに記録されているタイトルを、ＤＶＤにダビングする処理を示すフローチャートである。
【図３】別の例にかかる、ハードディスクに記録されているタイトルを、ＤＶＤにダビングする処理を示すフローチャートである。
【図４】チューナで受信している番組を、ＤＶＤに録画する処理を示すフローチャートである。
【発明を実施するための形態】
【００１８】
以下、この発明の実施形態であるダビング装置について説明する。
【００１９】
図１は、このダビング装置の主要部の構成を示すブロック図である。このダビング装置１は、制御部２と、チューナ３と、信号処理部４と、ハードディスク処理部５と、ＤＶＤ処理部６と、ＯＳＤ（Ｏｎ Ｓｃｒｅｅｎ Ｄｉｓｐｌａｙ）処理部７と、映像出力部８と、音声出力部９と、操作部１０と、を備えている。制御部２は、本体各部の動作を制御する。この制御部２は、字幕表示設定情報等を記憶するメモリ（不図示）を有している。チューナ３には、ディジタルテレビ放送を受信するアンテナ（不図示）が接続されている。チューナ３には、アンテナで受信されているディジタルテレビ放送信号が入力される。チューナ３は、入力されているディジタルテレビ放送信号から、選局されているチャンネルの信号を抽出する。また、チューナ３が抽出するテレビ放送信号は、トランスポートストリーム（ＴＳ）形式のデータである。チューナ３は、抽出したトランスポートストリーム形式のデータを信号処理部４や、ハードディスク処理部５に入力する。
【００２０】
ハードディスク処理部５は、記録媒体であるハードディスク５ａ（ＨＤ５ａ）を有し、このハードディスク５ａにチューナ３で抽出した受信チャンネルで放送されている番組等のタイトルを記録する。このハードディスク５ａが、この発明で言う第１の記録媒体に相当する。ハードディスク処理部５がハードディスク５ａに記録するタイトルのデータは、トランスポートストリーム形式（ＴＳ形式）である。ＤＶＤ処理部６は、記録媒体であるＤＶＤ６ａが着脱自在に構成されている。ＤＶＤ処理部６は、セットされているＤＶＤ６ａにチューナ３で抽出した受信チャンネルで放送されている番組等のタイトルを記録する。このＤＶＤ６ａが、この発明で言う第２の記録媒体に相当する。ＤＶＤ処理部６がＤＶＤ６ａに記録するタイトルのデータは、プログラムストリーム形式（ＰＳ形式）である。
【００２１】
また、ハードディスク処理部５は、ハードディスク５ａにトランスポートストリーム形式で記録されているタイトルのデータを読み出し、これを信号処理部４に入力する。また、ＤＶＤ処理部６は、ＤＶＤ６ａにプログラムストリーム形式で記録されているタイトルのデータを読み出し、これを信号処理部４に入力する。
【００２２】
また、ハードディスク５ａに記録されているタイトルをＤＶＤ６ａにダビングしたり、反対に、ＤＶＤ６ａに記録されているタイトルをハードディスク５ａにダビングすることもできる。
【００２３】
信号処理部４は、チューナ３、ハードディスク処理部５、およびＤＶＤ処理部６から入力されたストリームを処理し、処理データを出力する。信号処理部４は、入力されたストリームのデータ形式や、処理データの出力先に応じて処理を変更する。例えば、信号処理部４は、ハードディスク処理部５に対してタイトルの記録データを入力するときには、入力されたストリームをトランスポートストリーム形式のデータに変換する。また、信号処理部４は、ＤＶＤ処理部６に対してタイトルの記録データを入力するときには、入力されたストリームをプログラムストリーム形式のデータに変換する。信号処理部４は、入力されたストリームを処理し、デコードした映像データをＯＳＤ処理部７を介して映像出力部８に入力し、デコードした音声データを音声出力部９に入力する。
【００２４】
また、ＯＳＤ処理部７は、ＯＳＤ画像データを生成し、これを映像出力部８に入力する。映像出力部８は、入力された映像データをアナログ化した映像信号を生成し、これを接続されている表示装置２０に入力する。表示装置２０は、入力された映像信号に基づく映像を表示する。音声出力部９は、入力された音声データをアナログ化した音声信号を生成し、これを接続されているスピーカ２１に入力する。スピーカ２１は、入力された音声信号に基づく音声を放出する。
【００２５】
操作部１０は、装置本体に対するユーザの入力操作を受け付ける。また、操作部１０は、図示していないリモコン装置から送信されてきた制御信号を受信し、その制御信号を処理するリモコン処理部も有している。
【００２６】
次に、このダビング装置１の動作について説明する。
【００２７】
このダビング装置１では、選局しているチャンネルで放送されている番組、ハードディスク５ａに記録されているタイトル、および、ＤＶＤ６ａに記録されているタイトルの視聴が選択的に行える。
【００２８】
まず、選局しているチャンネルで放送されている番組の視聴について説明する。チューナ３が、入力されているディジタルテレビ放送信号から、選局されているチャンネルの信号を抽出する。チューナ３は、抽出した信号を信号処理部４に入力する。チューナ３から信号処理部４に入力される信号は、トランスポートストリーム形式のデータである。信号処理部４は、入力されているトランスポートストリーム形式のデータを処理し、デコードした映像データをＯＳＤ処理部７を介して映像出力部８に入力し、デコードした音声データを音声出力部９に入力する。このとき、信号処理部４は、入力されているトランスポートストリーム形式のデータに字幕データが含まれており、且つ、字幕表示の映像出力が設定されていれば、字幕を重ね合わせた映像の映像データを生成する。一方、信号処理部４は、入力されているトランスポートストリーム形式のデータに字幕データが含まれていない、または、字幕表示の映像出力が設定されていなければ、字幕を重ね合わせていない映像の映像データを生成する。字幕表示の映像出力とするか、字幕無しの映像出力とするかの設定は、ユーザが操作部１０において設定できる。
【００２９】
映像出力部８は、入力された映像データをアナログ化した映像信号を生成し、これを接続されている表示装置２０に入力する。表示装置２０は、入力された映像信号に基づく映像を表示する。音声出力部９は、入力された音声データをアナログ化した音声信号を生成し、これを接続されているスピーカ２１に入力する。スピーカ２１は、入力された音声信号に基づく音声を放出する。したがって、ユーザは、選局しているチャンネルで放送されている番組を視聴することができる。
【００３０】
次に、ハードディスク５ａに記録されているタイトルの視聴について説明する。ダビング装置１は、操作部１０において、ハードディスク５ａに記録されているタイトルの中で、視聴するタイトル（再生するタイトル）の選択を受け付ける。このとき、ＯＳＤ処理部７はハードディスク５ａに記録されているタイトルを一覧で表示するＯＳＤ画像を生成し、映像出力部８に入力する。映像出力部８は、入力されているＯＳＤ画像にかかる映像信号を表示装置２０に入力する。したがって、表示装置２０では、ハードディスク５ａに記録されているタイトルが一覧で表示される。
【００３１】
ハードディスク処理部５は、ユーザによって選択されたタイトルのデータを、ハードディスク５ａから読み出し、これを信号処理部４に入力する。ハードディスク５ａに記録されているタイトルのデータは、トランスポートストリーム形式である。すなわち、信号処理部４には、上述した、選局しているチャンネルで放送されている番組を視聴する場合と同様に、トランスポートストリーム形式のデータが入力される。信号処理部４は、入力されているトランスポートストリーム形式のデータを処理し、デコードした映像データをＯＳＤ処理部７を介して映像出力部８に入力し、デコードした音声データを音声出力部９に入力する。このとき、信号処理部４は、入力されているトランスポートストリーム形式のデータに字幕データが含まれており、且つ、字幕表示の映像出力が設定されていれば、字幕を重ね合わせた映像の映像データを生成する。一方、信号処理部４は、入力されているトランスポートストリーム形式のデータに字幕データが含まれていない、または、字幕表示の映像出力が設定されていなければ、字幕を重ね合わせていない映像の映像データを生成する。
【００３２】
映像出力部８は、入力された映像データをアナログ化した映像信号を生成し、これを接続されている表示装置２０に入力する。表示装置２０は、入力された映像信号に基づく映像を表示する。音声出力部９は、入力された音声データをアナログ化した音声信号を生成し、これを接続されているスピーカ２１に入力する。スピーカ２１は、入力された音声信号に基づく音声を放出する。したがって、ユーザは、ハードディスク５ａに記録されているタイトルを視聴することができる。
【００３３】
次に、ＤＶＤ６ａに記録されているタイトルの視聴について説明する。ダビング装置１は、操作部１０において、ＤＶＤ６ａに記録されているタイトルの中で、視聴するタイトル（再生するタイトル）の選択を受け付ける。このとき、ＯＳＤ処理部７はＤＶＤ６ａに記録されているタイトルを一覧で表示するＯＳＤ画像を生成し、映像出力部８に入力する。映像出力部８は、入力されているＯＳＤ画像にかかる映像信号を表示装置２０に入力する。したがって、表示装置２０では、ＤＶＤ６ａに記録されているタイトルが一覧で表示される。
【００３４】
ＤＶＤ処理部６は、ユーザによって選択されたタイトルのデータを、ＤＶＤ６ａから読み出し、これを信号処理部４に入力する。ＤＶＤ６ａに記録されているタイトルのデータは、プログラムストリーム形式である。信号処理部４は、入力されているプログラムストリーム形式のデータを処理し、デコードした映像データをＯＳＤ処理部７を介して映像出力部８に入力し、デコードした音声データを音声出力部９に入力する。
【００３５】
映像出力部８は、入力された映像データをアナログ化した映像信号を生成し、これを接続されている表示装置２０に入力する。表示装置２０は、入力された映像信号に基づく映像を表示する。音声出力部９は、入力された音声データをアナログ化した音声信号を生成し、これを接続されているスピーカ２１に入力する。スピーカ２１は、入力された音声信号に基づく音声を放出する。したがって、ユーザは、ＤＶＤ６ａに記録されているタイトルを視聴することができる。
【００３６】
また、このダビング装置１は、ハードディスク５ａに記録されているタイトルを、ＤＶＤ６ａにダビングすることができる。また、反対に、ＤＶＤ６ａに記録されているタイトルを、ハードディスク５ａにダビングすることもできる。これらのダビングは、レート変換ダビング（等速ダビング）で行われる。
【００３７】
図２は、ハードディスクに記録されているタイトルを、ＤＶＤにダビングする処理を示すフローチャートである。ダビング装置１は、操作部１０において、ハードディスク５ａに記録されているタイトルの中で、ＤＶＤ６ａにダビングするタイトルの選択を受け付ける（ｓ１）。このとき、ＯＳＤ処理部７はハードディスク５ａに記録されているタイトルを一覧で表示するＯＳＤ画像を生成し、映像出力部８に入力する。映像出力部８は、入力されているＯＳＤ画像にかかる映像信号を表示装置２０に入力する。したがって、表示装置２０では、ハードディスク５ａに記録されているタイトルが一覧で表示される。
【００３８】
ダビング装置１は、ＤＶＤ６ａにダビングするタイトルの選択を受け付けると、ハードディスク処理部５がハードディスク５ａに記録されている選択されたタイトルのデータの読み出しを開始する（ｓ２）。ハードディスク処理部５は、ハードディスク５ａから読み出したタイトルのデータ（トランスポートストリーム形式のデータ）を信号処理部４に入力する。ダビング装置１は、信号処理部４に入力されているトランスポートストリーム形式のデータに字幕データが含まれているかどうかを判定する（ｓ３）。すなわち、ｓ３では、今回ダビングするタイトルが字幕付のタイトルであるかどうかを判定している。
【００３９】
ダビング装置１は、ｓ３で字幕データが含まれていると判定すると、ユーザによって予め設定されている字幕表示設定情報によって、字幕表示の映像でのダビングを選択する設定がなされているか、字幕無しの映像でのダビングを選択する設定がなされているかを判定する（ｓ４）。
【００４０】
この字幕設定情報は、ユーザが操作部１０において任意のタイミングで設定できる。ダビング装置１は、最後に設定された字幕表示設定情報を制御部２のメモリ（不図示）に記憶している。
【００４１】
信号処理部４は、字幕表示の映像でのダビングを選択する設定がなされている判定すると、入力されているトランスポートストリーム形式のデータ（今回ダビングするタイトルのデータ）を処理して字幕表示の映像データを生成し、この映像データをプログラムストリーム形式のデータに変換する処理を開始する（ｓ５）。このトランスポートストリーム形式からプログラムストリーム形式への変換には音声データも含まれている。信号処理部４は、変換したプログラムストリーム形式のデータをＤＶＤ処理部６に入力する。ＤＶＤ処理部６は、信号処理部４から入力されているプログラムストリーム形式のデータをセットされているＤＶＤ６ａに記録する処理を開始する（ｓ７）。
【００４２】
また、信号処理部４は、ｓ３で字幕データが含まれていない、またはｓ４で字幕無しの映像でのダビングを選択する設定がなされていると判定すると、入力されているトランスポートストリーム形式のデータ（今回ダビングするタイトルのデータ）を処理して字幕無しの映像データを生成し、この映像データをプログラムストリーム形式のデータに変換する処理を開始する（ｓ６）。このトランスポートストリーム形式からプログラムストリーム形式への変換には音声データも含まれている。信号処理部４は、変換したプログラムストリーム形式のデータをＤＶＤ処理部６に入力する。
【００４３】
ＤＶＤ処理部６は、信号処理部４から入力されているプログラムストリーム形式のデータをセットされているＤＶＤ６ａに記録する処理を開始する（ｓ７）。ダビング装置１は、ｓ１で選択されたタイトルのダビングが終了すると（ｓ８）、今回のダビング処理を完了する停止処理を行い（ｓ９）、本処理を終了する。
【００４４】
このように、このダビング装置１によれば、ユーザは、ハードディスク５ａにプログラムストリーム形式で記録されているタイトルを、ＤＶＤ６ａにダビングするときに、字幕表示の映像でダビングするか、字幕無しの映像でダビングするか設定できる。
【００４５】
また、図３に示すように、ｓ３で字幕データがあると判定したときに、ユーザに対して字幕表示の映像でのダビングを選択するか、字幕無しの映像でのダビングを選択するかの設定を問い合わせ（ｓ１１）、この問い合わせに対する選択を受け付ける（ｓ１２）、構成としてもよい。この場合、ＯＳＤ処理部７が、ｓ１１にかかる問い合わせ画面を生成し、これを表示装置２０で表示する。
【００４６】
このようにすれば、ダビングするタイトルの映像を字幕付の映像とするか、字幕無しの映像とするかの選択誤りが抑えられる。
【００４７】
次に、ＤＶＤ６ａに記録されているタイトルを、ハードディスク５ａにダビングする動作について説明する。ダビング装置１は、操作部１０において、ＤＶＤ６ａに記録されているタイトルの中で、ハードディスク５ａにダビングするタイトルの選択を受け付ける。このとき、ＯＳＤ処理部７は、本体にセットされているＤＶＤ６ａに記録されているタイトルを一覧で表示するＯＳＤ画像を生成し、映像出力部８に入力する。映像出力部８は、入力されているＯＳＤ画像にかかる映像信号を表示装置２０に入力する。したがって、表示装置２０では、ＤＶＤ６ａに記録されているタイトルが一覧で表示される。
【００４８】
ダビング装置１は、ハードディスク５ａにダビングするタイトルの選択を受け付けると、ＤＶＤ処理部６がＤＶＤ６ａに記録されている選択されたタイトルのデータの読み出しを開始する。ＤＶＤ処理部６は、ＤＶＤ６ａから読み出したタイトルのデータ（プログラムストリーム形式のデータ）を信号処理部４に入力する。ダビング装置１は、信号処理部４に入力されているプログラムストリーム形式のデータ（今回ダビングするタイトルのデータ）を処理して映像データを生成し、この映像データをトランスポートストリーム形式のデータに変換する処理を開始する。このプログラムストリーム形式からトランスポートストリーム形式への変換には音声データも含まれている。信号処理部４は、変換したトランスポートストリーム形式のデータをハードディスク処理部５に入力する。
【００４９】
ハードディスク処理部５は、信号処理部４から入力されているトランスポートストリーム形式のデータをハードディスク５ａに記録する処理を開始する。ダビング装置１は、今回選択されたタイトルのダビングが終了すると、今回のダビング処理を完了する停止処理を行い、本処理を終了する。
【００５０】
なお、ＤＶＤ６ａからハードディスク５ａにダビングされたタイトルのデータには、字幕データは含まれていない。
【００５１】
このように、このダビング装置１は、ハードディスク５ａに記録されているタイトルをＤＶＤ６ａにダビングしたり、反対に、ＤＶＤ６ａに記録されているタイトルをハードディスク５ａにダビングすることができる。
【００５２】
なお、上述のタイトルのダビング時には、このタイトルの映像を表示装置２０に表示させ、音声をスピーカ２１から放出させることもできる。
【００５３】
次に、チューナ３で受信しているディジタルテレビ放送の番組を録画する処理について説明する。チューナ３で受信しているテレビ放送の番組は、ハードディスク５ａ、およびＤＶＤ６ａのいずれにも録画できる。まず、ハードディスク５ａに録画する場合について説明する。
【００５４】
ダビング装置１は、チューナ３が、入力されているディジタルテレビ放送信号から、選局されているチャンネルの信号を抽出する。チューナ３は、抽出した信号をハードディスク処理部５に入力する。ハードディスク処理部５は、チューナ３から入力されているトランスポートストリーム形式のデータをハードディスク５ａに記録する。
【００５５】
これにより、ダビング装置１は、チューナ３で受信しているディジタルテレビ放送の番組をハードディスク５ａに録画することができる。
【００５６】
次に、チューナ３で受信しているディジタルテレビ放送の番組をＤＶＤ６ａに録画する処理について説明する。図４は、この処理を示すフローチャートである。チューナ３が、入力されているディジタルテレビ放送信号から、選局されているチャンネルの信号を抽出する。チューナ３は、抽出した信号を信号処理部４に入力する。チューナ３から信号処理部４に入力される信号は、上述したように、トランスポートストリーム形式のデータである。
【００５７】
ダビング装置１は、チューナ３から信号処理部４に入力されているトランスポートストリーム形式のデータに字幕データが含まれているかどうかを判定する（ｓ２１）。すなわち、ｓ２１では、今回録画するタイトルが字幕付の番組であるかどうかを判定している。
【００５８】
ダビング装置１は、ｓ２１で字幕データが含まれていると判定すると、ユーザによって予め設定されている字幕表示設定情報によって、字幕表示の映像での録画を選択する設定がなされているか、字幕無しの映像での録画を選択する設定がなされているかを判定する（ｓ２２）。
【００５９】
この字幕設定情報は、上述したダビングの場合とは別に設定できるようにしてもよい。
【００６０】
信号処理部４は、字幕表示の映像での録画を選択する設定がなされている判定すると、入力されているトランスポートストリーム形式のデータ（今回録画するタイトルのデータ）を処理して字幕表示の映像データを生成し、この映像データをプログラムストリーム形式のデータに変換する処理を開始する（ｓ２３）。このトランスポートストリーム形式からプログラムストリーム形式への変換には音声データも含まれている。信号処理部４は、変換したプログラムストリーム形式のデータをＤＶＤ処理部６に入力する。ＤＶＤ処理部６は、信号処理部４から入力されているプログラムストリーム形式のデータをセットされているＤＶＤ６ａに記録する処理を開始する（ｓ２５）。
【００６１】
また、信号処理部４は、ｓ２１で字幕データが含まれていない、またはｓ２２で字幕無しの映像での録画を選択する設定がなされていると判定すると、入力されているトランスポートストリーム形式のデータ（今回録画するタイトルのデータ）を処理して字幕無しの映像データを生成し、この映像データをプログラムストリーム形式のデータに変換する処理を開始する（ｓ２４）。このトランスポートストリーム形式からプログラムストリーム形式への変換には音声データも含まれている。信号処理部４は、変換したプログラムストリーム形式のデータをＤＶＤ処理部６に入力する。ＤＶＤ処理部６は、信号処理部４から入力されているプログラムストリーム形式のデータをセットされているＤＶＤ６ａに記録する処理を開始する（ｓ２５）。ダビング装置１は、番組の録画終了タイミングになると（ｓ２６）、今回の録画処理を完了する停止処理を行い（ｓ２７）、本処理を終了する。
【００６２】
このように、このダビング装置１によれば、ユーザは、チューナ３で受信しているディジタルテレビ放送の番組をＤＶＤ６ａに録画するときに、字幕表示の映像で録画するか、字幕無しの映像で録画するか設定できる。
【００６３】
なお、上記の説明では、トランスポートストリームでタイトルを記録する記録媒体としてハードディスクを例にしたが、他の種類の記録媒体であってもよい。また、同様に、プログラムストリームでタイトルを記録する記録媒体としてＤＶＤを例にしたが、他の種類の記録媒体であってもよい。
【符号の説明】
【００６４】
１−ダビング装置
２−制御部
３−チューナ
４−信号処理部
５−ハードディスク処理部
５ａ−ハードディスク
６−ＤＶＤ処理部
６ａ−ＤＶＤ
７−ＯＳＤ処理部
８−映像出力部
９−音声出力部
１０−操作部
【図１】
2010166352.tif 000003
【図２】
2010166352.tif 000004
【図３】
2010166352.tif 000005
【図４】
2010166352.tif 000006